【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】
【請求項１】
使用者の尿を受ける溜水部と、前記溜水部に落下して尿を溜水とともに下水に排出するトラップ部を備えた洋風大便器ユニットに設置され、前記使用者が溜水部に排泄した尿量を推定する尿量推定手段を有する排尿量測定装置において、
前記溜水部の水を採取するための採水部を有した採水手段と、前記採水部を介して前記溜水部の水位を前記トラップ部の溢流水位よりも低い所定レベルまで低下させる溜水水位低下手段と、を備え、前記尿量推定手段は、前記所定レベルまで水位が低下した溜水部に対して使用者の尿が流入してきたときに、前記採水部に設けられた水位測定手段の水位変化測定値から尿量を推定することを特徴とする排尿量測定装置。
【請求項２】
使用者の尿を受ける溜水部と、前記溜水部に落下して尿を溜水とともに下水に排出するトラップ部を備えた洋風大便器ユニットに設置され、前記使用者が溜水部に排泄した尿量を推定する尿量推定手段を有する排尿量測定装置において、
前記溜水部の水を採取するための採水部を有した採水手段と、前記採水手段を介して溜水を吸引することによって前記溜水部の水位を前記トラップ部の溢流水位よりも低い所定レベルまで低下させる溜水水位低下手段と、を備え、前記尿量推定手段は、前記所定レベルまで水位が低下した溜水部に対して使用者の尿が流入した後に、前記溜水部の水位が前記トラップ部の溢流水位レベルとなるように前記溜水部に給水する水補給手段と、前記溜水部の水位検出手段とを有し、少なくとも前記溜水部より吸引した水量と、前記トラップの溢流水位まで水補給手段が供給する水量との差から尿量を推定することを特徴とする排尿量測定装置。
【請求項３】
前記採水手段は、便器外から便器のボール部を通って前記溜水部に差し込まれた管と、前記管の略先端に設けられた採水部と、を有することを特徴とする請求項１または２に記載の排尿量測定装置。
【請求項４】
前記溜水部の水位測定手段に洗浄水を供給する手段が設けられていることを特徴とする請求項１ないし３のいずれか１項に記載の排尿量測定装置。
【請求項５】
前記水補給手段に洗浄水を供給する手段が設けられていることを特徴とする請求項１ないし４のいずれか１項に記載の排尿量測定装置。
【請求項６】
前記排尿量測定装置を洋風便器の便鉢の上縁部に係止させるための係止部材を備えたことを特徴とする請求項１ないし５のいずれか１項に記載の排尿量測定装置。
【請求項７】
前記溜水部の水を採取するための採水手段は、尿量推定に係わる一連の動作中以外は、前記洋風大便器の略リム面付近に配置されることを特徴とする請求項１ないし６のいずれか１項に記載の排尿量測定装置。
【請求項８】
前記水補給手段は、単位時間当りの供給水量を可変できることを特徴とする請求項１ないし７のいずれか１項に記載の排尿量測定装置。
【請求項９】
使用者の尿を受ける溜水部と、前記溜水部に落下して尿を溜水とともに下水に排出するトラップ部を備えた洋風大便器ユニットに設置され、前記使用者が溜水部に排泄した尿量を推定する尿量推定手段を有する排尿量測定装置において、
前記溜水部の水を採取するための採水部を有した採水手段と、前記採水手段を介して溜水を吸引することによって前記溜水部の水位を前記トラップ部の溢流水位よりも低い所定レベルまで低下させる溜水水位低下手段と、を備え、前記採水手段は前記採水部に溜水の水面を検知する水面検知手段を有すると共に、前記尿量推定手段は前記採水手段の伸縮によって溜水水位の変化量を検出して尿量を推定することを特徴とする排尿量測定装置。
【請求項１０】
使用者の尿に含まれる特定成分濃度は、排尿後測定される前記溜水部の特定成分濃度と、その時の前記溜水部の溜水の容積とによって推定されることを特徴とする請求項１ないし９のいずれか１項に記載の排尿量測定装置。
【手続補正２】
【補正対象書類名】明細書
【補正対象項目名】０００６
【補正方法】変更
【補正の内容】
【０００６】
【課題を解決するための手段】
上記目的を達成するために請求項１は、使用者の尿を受ける溜水部と、前記溜水部に落下して尿を溜水とともに下水に排出するトラップ部を備えた洋風大便器ユニットに設置され、前記使用者が溜水部に排泄した尿量を推定する尿量推定手段を有する排尿量測定装置において、
前記溜水部の水を採取するための採水部を有した採水手段と、前記採水部を介して前記溜水部の水位を前記トラップ部の溢流水位よりも低い所定レベルまで低下させる溜水水位低下手段と、を備え、前記尿量推定手段は、前記所定レベルまで水位が低下した溜水部に対して使用者の尿が流入してきたときに、前記採水部に設けられた水位測定手段の水位変化測定値から尿量を推定するようにした。これにより排泄された尿が前記トラップ部の溢流水位を超えることなく、排泄された尿の全量を測定対象とすることができるため、排泄された尿が下水に流出する恐れが無く、結果として高精度に排泄尿量を測定することができる。
【手続補正３】
【補正対象書類名】明細書
【補正対象項目名】０００７
【補正方法】変更
【補正の内容】
【０００７】
また請求項２は、使用者の尿を受ける溜水部と、前記溜水部に落下して尿を溜水とともに下水に排出するトラップ部を備えた洋風大便器ユニットに設置され、前記使用者が溜水部に排泄した尿量を推定する尿量推定手段を有する排尿量測定装置において、
前記溜水部の水を採取するための採水部を有した採水手段と、前記採水手段を介して溜水を吸引することによって前記溜水部の水位を前記トラップ部の溢流水位よりも低い所定レベルまで低下させる溜水水位低下手段と、を備え、前記尿量推定手段は、前記所定レベルまで水位が低下した溜水部に対して使用者の尿が流入した後に、前記溜水部の水位が前記トラップ部の溢流水位レベルとなるように前記溜水部に給水する水補給手段と、前記溜水部の水位検出手段とを有し、少なくとも前記溜水部より吸引した水量と、前記トラップの溢流水位まで水補給手段が供給する水量との差から尿量を推定するようにした。これにより、前記採水手段は基本的に水しか溜まっていない溜水を吸引することになるので、排泄物自体を吸引する必要が無く、測定系の信頼性を高めることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また請求項３は、前記採水手段は、便器外から便器のボール部を通って前記溜水部に差し込まれた管と、前記管の略先端に設けられた採水部と、を有するので、前記採水手段の存在が便器や便座や便ふたなどのトイレ部材の機能に影響を与えることがないため、排尿量測定機構は既存の洋風大便器に機能として付加することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また請求項４は、前記溜水部の水位測定手段に洗浄水を供給する手段を設けたので、汚水と接した部分に対する洗浄を行えるため、溜水もしくは排泄物と接する可能性がある部分を清浄に保てるだけでなく、溜水の溢流水面を常に一定に保つことができ、結果として高精度の尿量測定値を得ることができる。
【手続補正１１】
【補正対象書類名】明細書
【補正対象項目名】００１５
【補正方法】変更
【補正の内容】
【００１５】
また請求項５は、前記水補給手段に洗浄水を供給する手段を設けたので、同じく汚水と接した部分に対する洗浄を行えるため、溜水もしくは排泄物と接する可能性がある部分を清浄に保つことができる。
【手続補正１２】
【補正対象書類名】明細書
【補正対象項目名】００１６
【補正方法】変更
【補正の内容】
【００１６】
また請求項６は、前記排尿量測定装置を洋風便器の便鉢の上縁部に係止させるための係止部材を備えたので、前記各種機能部材を載せるだけで洋風大便器に組み付けることができるため、既存の洋風大便器に加工を施すことなく尿量測定機能を付加することができる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また請求項７は、前記溜水部の水を採取するための採水手段は、尿量推定に係わる一連の動作中以外は、前記洋風大便器の略リム面付近に配置されることを特徴とするので、便器の清掃中や大便の排泄中、あるいは測定を実施しない小便の際には、前記採水部材が溜水から離れた位置に収納・配置されることになり、この際の小便による洋風大便器としての弊害が発生することがない。
【手続補正１５】
【補正対象書類名】明細書
【補正対象項目名】００１９
【補正方法】変更
【補正の内容】
【００１９】
また請求項８は、前記水補給手段は、単位時間当りの供給水量を可変できるよう構成したので、吸水・給水速度による慣性（イナーシャ）の発生を抑制するため、溜水部への補給水によって発生する波立ちによる測定精度の悪化を防止することができる。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
また請求項９は、前記溜水部の水を採取する採水手段は水面検知手段を有すると共に、前記採水手段の伸縮によって溜水水位の変化量を検出するようにしたので、伸縮駆動機構の動作位置検知のみで水位を検知することにより排泄物自体を吸引する必要が無いため、測定系の信頼性を高めることができる。
【手続補正２１】
【補正対象書類名】明細書
【補正対象項目名】００２５
【補正方法】変更
【補正の内容】
【００２５】
また請求項１０は、使用者の尿に含まれる特定成分濃度は、排尿後測定される前記溜水部の特定成分濃度と、その時の前記溜水部の溜水の容積とによって推定することができるため、尿に含まれる特定成分濃度を測定するための尿を採取するための機構を不要とし、結果として機構の簡略化と動作信頼性の向上を図ることができる。
【手続補正２２】
【補正対象書類名】明細書
【補正対象項目名】００３４
【補正方法】変更
【補正の内容】
【００３４】
図４は、本発明の第一の実施例を示すシステムブロック図である。
市水はロータンクに供給され、給水部（ストレーナ）を介してポンプに吸引され、測定系の内部・外郭を洗浄するようになっている。採尿部に設けられた伸縮手段はストレーナを含む採水部を溜水に着水させ、ポンプは溜水をタンクに導くようになっている。タンク中の水位は水位測定手段で測定されるようになっている。
【手続補正２３】
【補正対象書類名】明細書
【補正対象項目名】００４４
【補正方法】変更
【補正の内容】
【００４４】
図１１は、本発明の第二の実施例を示す動作シーケンス図である。
使用者が測定開始スイッチを操作すると、移動手段は採水部を前洗浄して溜水に着水させる。溜水に着水した採水部は溜水を吸引し、溜水の水位を低下させる。所定位置までの吸水が終了すると測定準備が完了し、使用者は溜水に向けて排尿し、溜水の水位が上昇する。排尿量は水位変化として測定される。水位変化が無くなったことを検出して排尿終了判断をしても良いし、排尿終了スイッチを操作する方法を取っても良い。尿量測定結果は使用者に開示され、使用者は便器洗浄を実施する。合わせて測定系の洗浄動作が実施され、洗浄が完了すると次回の測定が可能であることを表示する。なお測定値は使用者に開示されるだけでなく、医療機関との連携や、食事・運動サービスなどとの連携を配慮して、通信を介して伝送されるものであっても良い。なお測定値は使用者に開示されるだけでなく、医療機関との連携や、食事・運動サービスなどとの連携を配慮して、通信を介して伝送されるものであっても良い。
【手続補正２４】
【補正対象書類名】明細書
【補正対象項目名】００４５
【補正方法】変更
【補正の内容】
【００４５】
図１２は、本発明の第二の実施例を示すフローチャートである。
本図は図１１の動作シーケンスをフローチャートとしたものである。使用者が測定開始スイッチを操作すると、移動手段は採水部を前洗浄して溜水に着水させる。溜水に着水した採水部は溜水を吸引し、溜水の水位を低下させる。所定位置までの吸水が終了すると測定準備が完了し、使用者は溜水に向けて排尿し、溜水の水位が上昇する。排尿量は水位変化として測定される。尿量測定結果は使用者に開示され、使用者は便器洗浄を実施する。合わせて測定系の洗浄動作が実施され、洗浄が完了すると次回の測定が可能であることを表示する。
なお測定値は使用者に開示されるだけでなく、医療機関との連携や、食事・運動サービスなどとの連携を配慮して、通信を介して伝送されるものであっても良い。特に水位変化を圧力に換算して直接モニターしているため、図１３のように不連続な圧力変化が挙動を示した時は、尿という連続体だけでなく大便の同時は移設が懸念され、排尿量測定値に疑念が生じていることを使用者や測定値の管理・活用者に開示することもできる。